(57)【特許請求の範囲】
【請求項１】
食品を加熱する加熱室と、前記加熱室へ高周波出力を供給する高周波発振器と、前記高周波発振器を制御する制御手段と、メニューの選択や加熱のための条件を入力する複数の入力キーを有する入力手段と、調理レシピや表示画像データを記憶してある着脱可能なデータ記憶手段と、複数の画面からなる調理レシピや加熱制御状態を表示する表示手段と、前記データ記憶手段の情報を閲覧可能か認証する認証制御手段と、前記認証のために必要なデータを格納する認証記憶手段を備え、かつ、前記データ記憶手段を工場から出荷する場合、前記各々のデータ記憶手段に一つ一つの加熱調理器固有の認証番号を記憶させ、当該データ記憶手段が加熱調理器に装着されるとデータ記憶手段内の認証番号を前記認証制御手段が読み込んで前記認証記憶手段に前記認証番号を記憶させ、前記認証制御手段は前記データ記憶手段及び前記認証記憶手段に記憶された認証番号が一致するか否かで認証を確認する加熱調理器。
【発明の詳細な説明】
【０００１】
【発明の属する技術分野】
本発明は、マイクロコンピュータを用いた加熱調理器に関するものである。
【０００２】
【従来の技術】
従来、この種の加熱調理器としては、図４に示すような構成であった。
【０００３】
図４において、１は入力手段、２はデータ記憶手段、３は認証制御手段、４は表示制御手段、５は表示手段である。
【０００４】
【発明が解決しようとする課題】
しかしながら、前記従来の構成では、著作権保護機能を有する着脱可能なデータ制御手段を用いて、データ制御手段内のデータを保護しようとする場合、マイクロコンピュータ（以下マイコンと称す）内にデータを取り込む際、認証制御手段を介して、データの認証を行いマイコンにデータを取り込む構成になっており、認証制御手段にはデータ認証のための回路が必要になるため、高価な物になっており、市場適正価格にするには、著作権保護をはずし、ユーザーに不正コピーをされても可能な構成にするか、商品価格を上げても著作権保護を有するかの選択しかないという課題を有していた。
【０００５】
本発明は、前記従来の課題を解決するもので、完全な著作権保護を必要としない場合、高価な認証方式を有することなく、不正コピーされても、容易に使用できない構成とした加熱調理器を提供することを目的とする。
【０００６】
【課題を解決するための手段】
前記従来の課題を解決するために、本発明の加熱調理器は、食品を加熱する加熱室と、前記加熱室へ高周波出力を供給する高周波発振器と、前記高周波発振器を制御する制御手段と、メニューの選択や加熱のための条件を入力する複数の入力キーを有する入力手段と、調理レシピや表示画像データを記憶してある着脱可能なデータ記憶手段と、複数の画面からなる調理レシピや加熱制御状態を表示する表示手段と、前記データ記憶手段の情報を閲覧可能か認証する認証制御手段と、前記認証のために必要なデータを格納する認証記憶手段を備え、かつ、前記データ記憶手段を工場から出荷する場合、前記各々のデータ記憶手段に一つ一つの加熱調理器固有の認証番号を記憶させ、当該データ記憶手段が加熱調理器に装着されるとデータ記憶手段内の認証番号を前記認証制御手段が読み込んで前記認証記憶手段に前記認証番号を記憶させ、前記認証制御手段は前記データ記憶手段及び前記認証記憶手段に記憶された認証番号が一致するか否かで認証を確認する構成にしたものである。
【０００７】
これによって、安価な構成で、着脱可能なデータ記憶手段のデータを容易に不正コピーされることなく、著作権の保護が可能な構成にすることができる。
【０００８】
【発明の実施の形態】
請求項１に記載の発明は、食品を加熱する加熱室と、前記加熱室へ高周波出力を供給する高周波発振器と、前記高周波発振器を制御する制御手段と、メニューの選択や加熱のための条件を入力する複数の入力キーを有する入力手段と、調理レシピや表示画像データを記憶してある着脱可能なデータ記憶手段と、複数の画面からなる調理レシピや加熱制御状態を表示する表示手段と、前記データ記憶手段の情報を閲覧可能か認証する認証制御手段と、前記認証のために必要なデータを格納する認証記憶手段を備え、かつ、前記データ記憶手段を工場から出荷する場合、前記各々のデータ記憶手段に一つ一つの加熱調理器固有の認証番号を記憶させ、当該データ記憶手段が加熱調理器に装着されるとデータ記憶手段内の認証番号を前記認証制御手段が読み込んで前記認証記憶手段に前記認証番号を記憶させ、前記認証制御手段は前記データ記憶手段及び前記認証記憶手段に記憶された認証番号が一致するか否かで認証を確認する構成としたことにより、安価な構成で、着脱可能なデータ記憶手段のデータを容易に不正コピーされることなく、著作権の保護が可能な構成にすることができる。
【０００９】
また、加熱調理器の認証方式として、着脱可能なデータ記憶手段に一つ一つの加熱調理器固有の認証番号を付与することを特徴とすることにより、データ記憶手段の種類が増加しても、各々の種類に応じた認証番号を付与することができ、データ記憶手段の展開販売が容易である。
【００１０】
また、着脱可能なデータ記憶手段に一つ一つの加熱調理器固有の認証番号を付与する方法として、新規のデータ記憶手段が初めて加熱調理器に装着された時点で、データ記憶手段に認証番号を記憶させることを特徴とすることにより、使用者が新規にデータ記憶手段を購入し、データを入力した場合、そのデータ記憶手段が加熱調理器に装着された時点で、認証番号を付与するため、他の加熱調理器に装着されても読めない構成にすることができ、簡易的な著作権保護機能を有することができる。
【００１１】
【実施例】
以下本発明の実施例について、図面を参照しながら説明する。
【００１２】
（実施例１）
図１は、本発明の実施例１における加熱調理器の図を示すものである。
【００１３】
また、本発明における、外観構成図は、図３に示す。
【００１４】
図１において、高周波出力を加熱室６に照射する高周波発振器７と、制御手段８を接続し、マイクロコンピュータ９（以下マイコンと称す）により制御手段８を制御し、高周波出力を可変にしている。
【００１５】
以上のように構成された加熱調理器について、以下にその動作、作用を説明する。
【００１６】
まず、操作部１０にある入力手段１１により、調理レシピの表示を行う指示が出されると、マイコン９内の認証制御手段１２により、データ記憶手段１３からデータを転送し、認証記憶手段１４のデータと比較検証し、同一であれば、表示制御手段１５に情報を送り、表示制御手段１５は、データ記憶手段１３から調理レシピのデータを表示手段１６に転送し、表示部１７で、見ることが可能である。
【００１７】
特に認証方式においては、まず、あらかじめレシピデータを記憶させたデータ記憶手段１３を工場から出荷する場合、各々のデータ記憶手段１３に異なる認証番号を記憶させる。次に、加熱調理器にデータ記憶手段１３が初めて装着されると、データ記憶手段１３内の認証番号を認証制御手段１２が読み込み、認証記憶手段１４に記憶される。これにより、同一認証番号でなければ、表示させることが不可能になるため、不正コピーができない構成にすることが可能である。
【００１８】
また、使用者が新規にデータ記憶手段１３を購入し、新しいデータを入力した場合、加熱調理器にデータ記憶手段１３が初めて装着されると、データ記憶手段１３内に認証番号が存在しないため、認証記憶手段１４内にある認証番号を認証制御手段１２が読みとり、データ記憶手段１３内に記憶させる構成としている。
【００１９】
なお、表示手段としては、液晶、ＬＥＤ、蛍光表示管などがあり、また、ドットマトリクス式を用いることにより、調理レシピ等複雑な表示にも対応可能である。さらに、カラータイプの表示手段により、調理画像などの表示も可能にし、操作性の向上にもつながる。
【００２０】
さらに、入力手段としては、タッチパネルを用いる方法等もある。
【００２１】
以上のように、本実施例においては、完全な著作権保護を必要としない場合、高価な認証方式を有することなく、不正コピーされても、容易に使用できない構成とした加熱調理器を提供することができる。
【００２２】
また、本実施例では、着脱可能なデータ記憶手段１３に認証番号を付与することにより、データ記憶手段１３の種類が増加しても、各々の種類に応じた認証番号を付与でき、データ記憶手段１３の展開販売が容易である。
【００２３】
（実施例２）
図２は、本発明の実施例２の加熱調理器のフローチャート図である。なお、実施例１と同一符号のものは同一構造を有し、説明は省略する。
【００２４】
マイコン９内の認証制御手段１２は、以下のステップに応じて着脱可能なデータ記憶手段１３の認証を行っている。
【００２５】
まず、入力手段１１からの入力信号により、データ記憶手段１３のデータを参照する指示がある場合、認証処理に移行して、ステップＳ１で、データ記憶手段１３の認証データを読み込み、ステップＳ２にてそのデータが０か否かの判断を行う。データが０であれば、初めてデータ記憶手段１３が装着されたと判断し、ステップＳ３に移行し、認証記憶手段１４から認証データを読み込み、ステップＳ４にてデータ記憶手段１３に記憶させ、認証処理を抜ける。
【００２６】
また、ステップＳ２で、データが０でなければ、認証データが記憶されているため、ステップＳ５に移行し、認証記憶手段１４から、認証データを読み込む。そしてステップＳ６に移行し、データが０か否かの判断を行い、データが０であれば、工場出荷前の状態であるため、ステップＳ７にて、認証記憶手段１４に認証データを記憶させる。
【００２７】
なお、ステップＳ６、ステップＳ７については、別途工場出荷時用の処理で設定してもかまわない。
【００２８】
さらに、ステップＳ８では、データ記憶手段１３と認証記憶手段１４のデータが同一か否かのチェックを行い、一致すれば認証確認が終了し、ステップＳ９に移行し、表示制御に移行し、以後、通常ステップに戻る。
【００２９】
ステップＳ８で、データが不一致の場合、認証不可として、ステップＳ１０に移行し、エラー表示制御で、エラーを表示させる。
【００３０】
なお、ステップＳ１、ステップＳ５でデータを読み込み、ステップＳ８以降を実行してもかまわない。その場合、認証データの処理は、別処理になるのは、言うまでもない。
【００３１】
さらに、表示処理のステップは、この順番に固定するわけでなく、論理的に同様であれば、プログラムが容易な方式にすればよい。
【００３２】
【発明の効果】
以上のように、本発明によれば、安価な構成で、着脱可能なデータ記憶手段のデータを容易に不正コピーされることなく、著作権の保護が可能な構成にすることができる。
【図面の簡単な説明】
【図１】  本発明の実施例１における加熱調理器の構成図
【図２】  本発明の実施例２における加熱調理器のフローチャート
【図３】  本発明の実施例１または２における加熱調理器の外観構成図
【図４】  従来の加熱調理器の構成図
【符号の説明】
６  加熱室
７  高周波発振器
８  制御手段
１１  入力手段
１２  認証制御手段
１３  データ記憶手段
１４  認証記憶手段
１６  表示手段
【図１】
0004122745.tif 000002
【図２】
0004122745.tif 000003
【図３】
0004122745.tif 000004
【図４】
0004122745.tif 000005